(57)【要約】【課題】寝具等に体感音響および体感振動を発生させ、利用者の安眠支援やリラクセーション支援を図ることができる利便性の高い無線化体感音響寝具装置を提供する。【解決手段】ドライバーユニット２２を遠隔操作自在の操作部２３が配設されると共に、音楽を再生自在のプレイヤー２４と、無線受信機能を有し、プレイヤー２４から受信した信号を駆動信号に変換するドライバーユニット２２と、ドライバーユニット２２からの信号を音声出力するスピーカー２５と、ドライバーユニット２２からの信号を振動に変換する振動トランスデューサ２６と、ドライバーユニット２２、スピーカー２５、及び、振動トランスデューサ２６が配設される寝具パッド２７とを備えている無線化体感音響寝具装置２１を提供する。【選択図】図１
2008160293.tif 000002
【特許請求の範囲】
【請求項１】
無線による送信機能を有し、ドライバーユニットを遠隔操作自在の操作部が配設されると共に、音楽を再生自在のプレイヤーと、
無線受信機能を有し、前記プレイヤーからの遠隔操作によって制御されると共に、前記プレイヤーから受信した信号を駆動信号に変換する前記ドライバーユニットと、
前記ドライバーユニットに接続され、前記ドライバーユニットからの信号を音声出力するスピーカーと、
前記ドライバーユニットに接続され、前記ドライバーユニットからの信号を振動に変換する振動トランスデューサと、
前記ドライバーユニット、スピーカー、及び、振動トランスデューサが配設される寝具パッドとを備えることを特徴とする無線化体感音響寝具装置。
【請求項２】
前記ドライバーユニットは、内部アンテナと、ＲＦ受信モジュールと、ＤＡコンバータと、電気的可変ボリュームと、前置増幅器と、左右の駆動増幅器と、前記スピーカーに接続される左右スピーカー端子とが順次シリアル接続され、
前記ＤＡコンバータに加算器と、電気式可変ボリュームと、前置増幅器と、振動駆動増幅器と、前記振動トランスデューサに接続される振動トランスデューサ端子とが順次シリアル接続され、
前記ＲＦ受信モジュール、電気式可変ボリューム、駆動増幅器、振動駆動増幅器に夫々マイクロコンピュータが接続され、
前記プレイヤーから無線受信した信号を音声信号として前記左右スピーカー端子に出力し、
前記ＤＡコンバータから出力された信号を加算した音声信号として前記振動トランスデューサ端子に出力し、
前記操作部で操作された操作信号を前記プレイヤーから受信すると、前記操作信号に基づき、前記マイクロコンピュータが前記電気式可変ボリューム、駆動増幅器、又は、振動駆動増幅器を制御するように構成されていることを特徴とする請求項１記載の無線化体感音響寝具装置。
【請求項３】
前記寝具パッドは、上層部、中層部及び下層部から成る三層構造に形成され、前記ドライバーユニット、スピーカー、及び、振動トランスデューサは、前記中層部に配置されることを特徴とする請求項１又は２記載の無線化体感音響寝具装置。
【請求項４】
前記上層部の一部或いは全部は、音声振動の良伝導体で形成され、利用者が前記寝具パッド上に横向きに寝た時、前記スピーカーの音声振動を利用者が骨伝導効果により音声認識できるように構成されていることを特徴とする請求項１乃至３のうちいずれか一に記載の無線化体感音響寝具装置。
【発明の詳細な説明】
【技術分野】
【０００１】
本発明は、寝具等に、体感音響および体感振動を発生させ、利用者の安眠支援やリラクゼーション支援を図った無線化体感音響寝具装置に関するものである。
【背景技術】
【０００２】
従来、此種の体感音響および体感振動を寝具等に発生させる装置は、既に一般に知られている。
例えば、体感音響、体感振動、心拍／いびき検出センサー等を付設した各種の寝具ベッドや安楽椅子等が知られており、これらの一例を図５及び図６に従って説明する。
【０００３】
図５及び図６に於いて、１は従来例の体感ベッド寝具装置を示し、体感ベッド寝具１は、ベッドマット２上に載置する寝具パッド３と、寝具パッド３の外部に配置されるプレイヤー兼用駆動ユニット４とを備え、前記寝具パッド３の底部には、プレイヤー兼用駆動ユニット４に有線接続される２個のフラットスピーカ５（５Ｒ、５Ｌ）と、プレイヤー兼用駆動ユニット４に有線接続される複数の振動トランスデューサ６，６…が配置されている。
【０００４】
そして、前記２個のフラットスピーカ５（５Ｒ、５Ｌ）は、寝具パッド３上に寝た利用者７の枕元近傍に配置され、複数の振動トランスデューサ６，６…は、寝具パッド３上に寝た利用者７の背中、腰部、足部の近傍に配置されている。
又、プレイヤー兼用駆動ユニット４には、ＳＤカードを挿入するＳＤカード挿入部８と、プレイヤー部の選曲、音質、音量、タイマーモード、スリープモード、再生／停止などの操作を行なうプレイヤー操作部９と、駆動ユニット部から送信する信号を制御して前記振動トランスデューサ６，６…の振動の大きさや振動量を制御する駆動ユニット操作部１０が設けられている。
尚、図に於いて、１１は、心拍やいびきを検出する心拍／いびきセンサーであり、１２は寝具パッド３内の各部品とプレイヤー兼用駆動ユニット４との接続コードであり、１３は電源コードである。心拍／いびきセンサー１１による検出結果は、フラットスピーカ５又は振動トランスデューサ６，６…の出力に反映させて、利用者７に異常を報知したり、利用者７の治療を行なうことができる。
【０００５】
又、此種の技術に関連して、次のような先行技術文献が存在する。
例えば、特許文献１には、体感音響マットを振動伝播マットと自由振動マットとの２層構造にして、ベッドパットとしての寝心地感を損なうことなく、低周波発信器の振動を効率的に人体に伝えることができる体感音響ベッドパットが記載されている。
特許文献２には、スピーカーが音響発生面を上向きにしてベッドパットに埋め込まれているスピーカー付き寝具パッドが記載されている。
特許文献３には、空気袋又は内部容積の変動可能な密閉キャビネットに装着した音センサを使用して、心拍数、呼吸数、セキやイビキを含む体動等の生体情報を収集する密閉空気式音センサを使用した生体情報収集装置が記載されている。
又、本願出願人も、特願２００６−１７０６０５により安眠支援システムを既に出願している。
前記安眠支援システムは、利用者に好まれるリズムを生かした低周波の体感振動により、睡眠誘導、安眠維持、爽快な目覚ましを支援すると共に、イビキ、歯ぎしり、又は、無呼吸症状等を検出して適切な低周波の体感振動を付与し、又、心地よい目覚めに関連するレム睡眠のタイミングを検出して体感振動、又は、爽快な目覚ましを実現することができる安眠支援システムである。
【特許文献１】特開２００６−４３３６１号公報
【特許文献２】特開２００６−５０５０９号公報
【特許文献３】特開２００１−１４５６０５号公報
【発明の開示】
【発明が解決しようとする課題】
【０００６】
図５及び図６に示した従来例の体感ベッド寝具装置は、プレイヤー兼用駆動ユニットが比較的大型になり、利用者の手元に置けず、寝具パッドの外部に設置するため、利用者が寝ながら選曲又は音響操作や、振動の設定操作を行なえず、外部に設置されたプレイヤーおよび駆動ユニットまで出向かなければならず、利便性を損なっていた。
尚、前述した先行技術文献等は、前述の問題点を解決するものではない。
【０００７】
以上の現状に鑑み、本発明は、寝具等に、体感音響および体感振動を発生させ、利用者の安眠支援やリラクセーション支援を図ることができる利便性の高い無線化体感音響寝具装置を提供することを目的とする。
【課題を解決するための手段】
【０００８】
上記の課題を解決すべく、本発明は以下の構成を提供する。
請求項１に係る発明は、無線による送信機能を有し、ドライバーユニットを遠隔操作自在の操作部が配設されると共に、音楽を再生自在のプレイヤーと、
無線受信機能を有し、前記プレイヤーからの遠隔操作によって制御されると共に、前記プレイヤーから受信した信号を駆動信号に変換する前記ドライバーユニットと、
前記ドライバーユニットに接続され、前記ドライバーユニットからの信号を音声出力するスピーカーと、
前記ドライバーユニットに接続され、前記ドライバーユニットからの信号を振動に変換する振動トランスデューサと、
前記ドライバーユニット、スピーカー、及び、振動トランスデューサが配設される寝具パッドとを備えることを特徴とする無線化体感音響寝具装置を提供するものである。
【０００９】
請求項２に係る発明は、前記ドライバーユニットは、内部アンテナと、ＲＦ受信モジュールと、ＤＡコンバータと、電気的可変ボリュームと、前置増幅器と、左右の駆動増幅器と、前記スピーカーに接続される左右スピーカー端子とが順次シリアル接続され、
前記ＤＡコンバータに加算器と、電気式可変ボリュームと、前置増幅器と、振動駆動増幅器と、前記振動トランスデューサに接続される振動トランスデューサ端子とが順次シリアル接続され、
前記ＲＦ受信モジュール、電気式可変ボリューム、駆動増幅器、振動駆動増幅器に夫々マイクロコンピュータが接続され、
前記プレイヤーから無線受信した信号を音声信号として前記左右スピーカー端子に出力し、
前記ＤＡコンバータから出力された信号を加算した音声信号として前記振動トランスデューサ端子に出力し、
前記操作部で操作された操作信号を前記プレイヤーから受信すると、前記操作信号に基づき、前記マイクロコンピュータが前記電気式可変ボリューム、駆動増幅器、又は、振動駆動増幅器を制御するように構成されていることを特徴とする請求項１記載の無線化体感音響寝具装置を提供するものである。
【００１０】
請求項３に係る発明は、前記寝具パッドは、上層部、中層部及び下層部から成る三層構造に形成され、前記ドライバーユニット、スピーカー、及び、振動トランスデューサは、前記中層部に配置されることを特徴とする請求項１又は２記載の無線化体感音響寝具装置を提供するものである。
【００１１】
請求項４に係る発明は、前記上層部の一部或いは全部は、音声振動の良伝導体で形成され、利用者が前記寝具パッド上に横向きに寝た時、前記スピーカーの音声振動を利用者が骨伝導効果により音声認識できるように構成されていることを特徴とする請求項１乃至３のうちいずれか一に記載の無線化体感音響寝具装置を提供するものである。
【発明の効果】
【００１２】
本発明の請求項１記載の発明によれば、無線による送信機能を有し、ドライバーユニットを遠隔操作自在の操作部が配設されると共に、音楽を再生自在のプレイヤーと、
無線受信機能を有し、前記プレイヤーからの遠隔操作によって制御されると共に、前記プレイヤーから受信した信号を駆動信号に変換する前記ドライバーユニットと、
前記ドライバーユニットに接続され、前記ドライバーユニットからの信号を音声出力するスピーカーと、
前記ドライバーユニットに接続され、前記ドライバーユニットからの信号を振動に変換する振動トランスデューサと、
前記ドライバーユニット、スピーカー、及び、振動トランスデューサが配設される寝具パッドとを備える無線化体感音響寝具装置を提供するので、
寝具パッドに体感音響および体感振動を発生させ、利用者の安眠支援やリラクセーション支援を図ることができると共に、プレイヤーを手元に置いてドライバーユニットを遠隔操作でき、利便性の高い無線化体感音響寝具装置を提供することができる。
【００１３】
請求項２記載の発明によれば、前記ドライバーユニットは、内部アンテナと、ＲＦ受信モジュールと、ＤＡコンバータと、電気的可変ボリュームと、前置増幅器と、左右の駆動増幅器と、前記スピーカーに接続される左右スピーカー端子とが順次シリアル接続され、
前記ＤＡコンバータに加算器と、電気式可変ボリュームと、前置増幅器と、振動駆動増幅器と、前記振動トランスデューサに接続される振動トランスデューサ端子とが順次シリアル接続され、
前記ＲＦ受信モジュール、電気式可変ボリューム、駆動増幅器、振動駆動増幅器に夫々マイクロコンピュータが接続され、
前記プレイヤーから無線受信した信号を音声信号として前記左右スピーカー端子に出力し、
前記ＤＡコンバータから出力された信号を加算した音声信号として前記振動トランスデューサ端子に出力し、
前記操作部で操作された操作信号を前記プレイヤーから受信すると、前記操作信号に基づき、前記マイクロコンピュータが前記電気式可変ボリューム、駆動増幅器、又は、振動駆動増幅器を制御するように構成されているので、
請求項１記載の発明の効果に加え、プレイヤーによる遠隔操作により、ドライバーユニットの電気式可変ボリューム、駆動増幅器、又は、振動駆動増幅器を制御し、音声量調整、振動量の調整、音声、振動のＯＮ・ＯＦＦ制御を行なうことができる。
【００１４】
請求項３記載の発明によれば、前記寝具パッドは、上層部、中層部及び下層部から成る三層構造に形成され、前記ドライバーユニット、スピーカー、及び、振動トランスデューサは、前記中層部に配置されるので、
請求項１又は２記載の発明の効果に加え、寝具パッドの寝心地を損なうことがなく、体感音響および体感振動をソフトに体感できると共に、ドライバーユニット、スピーカー、及び、振動トランスデューサが寝具パッドの外部に露出又は突出しないので、良好な外観が得られる。
【００１５】
請求項４記載の発明によれば、前記上層部の一部或いは全部は、音声振動の良伝導体で形成され、利用者が前記寝具パッド上に横向きに寝た時、前記スピーカーの音声振動を利用者が骨伝導効果により音声認識できるように構成されているので、
請求項１乃至３のうちいずれか一に記載の発明の効果に加え、耳の不自由な人も骨伝導効果により音楽を聴くことができると共に、健常者も骨伝導効果による快適な音楽を聴くことができる。
【発明を実施するための最良の形態】
【００１６】
以下、実施例を示した図面を参照しつつ本発明の実施の形態を説明する。
図１及び図２に於いて、２１は、本発明の無線化体感音響寝具装置を示し、無線化体感音響寝具装置２１は、無線による送信機能を有し、ドライバーユニット２２を遠隔操作自在のキースイッチ群である操作部２３が配設されると共に、音楽を再生自在のプレイヤー２４と、無線受信機能を有し、プレイヤー２４からの遠隔操作によって制御されると共に、プレイヤー２４から受信した信号を駆動信号に変換するドライバーユニット２２と、ドライバーユニット２２に接続され、ドライバーユニット２２からの信号を音声出力するスピーカー２５と、ドライバーユニット２２に接続され、ドライバーユニット２２からの信号を振動に変換する振動トランスデューサ２６と、ドライバーユニット２２、スピーカー２５、及び、振動トランスデューサ２６が配設される寝具パッド２７とを備えている。
【００１７】
前記プレイヤー２４は、片手で十分操作できる小型軽量構造の携帯型プレイヤーであり、音源媒体ＳＤカードを挿入するＳＤカード挿入部２８と、音楽を再生する機能（図示せず）と、音楽信号をドライバーユニット２２に向けて無線送信すると共に、ドライバーユニット２２の各種機能を操作するための信号を無線送信する無線送信機能（図示せず）と、プレイヤー２４の各種機能を操作すると共に、ドライバーユニット２２の各種機能を操作する操作部２３と、プレイヤー２４及びドライバーユニット２２に関する情報を表示する液晶表示部２９と、電源表示、充電表示のＬＥＤ（Light Emitting Diode発光ダイオード）表示部３０とを備えている。
【００１８】
又、プレイヤー２４の補助装置としてプレイヤー２４の充電を行なうためのクレードル３１が備えられ、クレードル３１は、充電時にプレイヤー２４を挿入するための挿入口３２と、ＡＣアダプタを備えた電源コード３３を備えている。
【００１９】
前記ドライバーユニット２２は、プレイヤー２４からの情報を受信するための無線受信機能（図示せず）と、受信した音楽信号を駆動信号に変換する変換機能（図示せず）とを備え、スピーカー２５，２５、及び、振動トランスデューサ２６，２６…に接続されている。
【００２０】
又、前記寝具パッド２７は、上層部２７ａ、中層部２７ｂ及び下層部２７ｃから成る三層構造に形成され、前記ドライバーユニット２２、スピーカー２５，２５、及び、振動トランスデューサ２６，２６…は、中層部２７ｂに配置される。
これによって、寝具パッド２７の寝心地を損なうことがなく、体感音響および体感振動をソフトに体感できると共に、ドライバーユニット２２、スピーカー２５，２５、及び、振動トランスデューサ２６，２６…が寝具パッド２７の外部に露出又は突出せず、或いは、寝具パッド２７の外表面を突出させないので、良好な外観が得られる。
寝具パッド２７は、ベッドマット３４上に載置される。
【００２１】
更に、前記スピーカー２５，２５は、例えば、フラットスピーカーが用いられ、寝具パッド２７上に寝た利用者３５の枕元の左右近傍に位置するように配置される。
又、前記振動トランスデューサ２６，２６…は、寝具パッド２７上に寝る利用者３５の背中、腰部、足部付近に配置され、振動トランスデューサ２６，２６…から発生した振動は寝具パッド２７の上層部２７ａを伝わり、利用者３５に伝達される。
そして、利用者３５の体感感触が快適になるように、利用者３５の腰周りから上側に配置される振動トランスデューサ２６は振動量が控えめに設定され、利用者３５の足元近傍の振動トランスデューサ２６は振動量が比較的大となるように設定されている。
【００２２】
前記寝具パッド２７の上層部２７ａの一部或いは全部は、音声振動の良伝導体、例えば、ウレタン等の軟質発泡樹脂体で形成され、スピーカー２５，２５…の音声振動が寝具パッド２７の上層部２７ａを伝達し、或いは上層部２７ａを共鳴させ、利用者が寝具パッド２７上に横向きに寝た時、上層部２７ａを通して骨伝導効果により音声認識できるように構成されている。
これによって、耳の不自由な人も骨伝導効果により音声認識できると共に、健常者も骨伝導効果による快適な音声認識体感が得られる。
【００２３】
又、前記寝具パッド２７には、利用者３５の心拍数や心拍間隔等の検出と、いびきの回数等を検知する心拍・いびきセンサー３６が利用者３５の背中付近に取付けられている。
心拍・いびきセンサー３６で無呼吸状態や、いびきを検知した場合は、振動トランスデューサ２６の振動を変化させたり、スピーカー２５で音源アラーム音を鳴らして、適宜利用者３５の寝返りや覚醒を促したり、治療を行なうことができる。
尚、図１に於いて、３７はＡＣアダプタを備えた電源コードである。
【００２４】
而して、前記プレイヤー２４は、クレードル３１で充電された後、操作部２３によって電源を入れ、前記ＳＤカード挿入部２８に挿入したＳＤカード（図示せず）の音楽を再生させると、再生された音楽信号はプレイヤー２４の無線送信機能によって、ドライバーユニット２２に送信され、ドライバーユニット２２は、無線受信機能によって信号を受信し、その信号を適宜変換してスピーカー２５，２５又は振動トランスデューサ２６，２６…に送り、スピーカー２５，２５は音声出力し、振動トランスデューサ２６，２６…は、音楽信号を振動に代えて振動出力する。
【００２５】
図３に於いて、５１は、前記寝具パッド２７に配設される寝具パッド内電気回路を示し、寝具パッド内電気回路５１は、内部アンテナ５２と、内部アンテナ５２に接続されたＲＦ受信モジュール５３と、ＲＦ受信モジュール５３に接続されたＤＡコンバータ５４と、ＤＡコンバータ５４に接続された電気的可変ボリューム５５と、電気式可変ボリューム５５に接続された前置増幅器５６と、前置増幅器５６に接続された左右の駆動増幅器５７，５７と、駆動増幅器５７，５７に夫々接続された左右スピーカー端子５８，５８とを備えている。ＲＦ受信モジュール５３により受信される無線の内容は、例えば、２．４ＧＨｚＰＣＭ（Pulse Code Modulation）デジタル信号である。
【００２６】
又、寝具パッド内電気回路５１は、ＤＡコンバータ５４に接続された加算器６１と、加算器６１に接続された３ｃｈ（チャンネル）分をもつ電気式可変ボリューム６２と、電気式可変ボリューム６２に接続された前置増幅器６３と、前置増幅器６３に接続された３個の振動駆動増幅器６４，６４，６４と、振動駆動増幅器６４，６４，６４に接続された６個の振動トランスデューサ端子６５，６５…とを備えている。
【００２７】
更に、ＲＦ受信モジュール５３、電気式可変ボリューム５５，６２、駆動増幅器５７，５７、振動駆動増幅器６４，６４，６４に夫々接続されるマイクロコンピュータ６６と、マイクロコンピュータ６６に接続される心拍・いびき検出増幅器６７と、心拍・いびき検出増幅器６７に接続される心拍・いびき検出入力端子６８と、前述の各部品に電源供給する電源レギュレータ６９とを備えている。
そして、スピーカー端子５８，５８に夫々スピーカー２５，２５が接続され、振動トランスデューサ端子６５，６５…に夫々振動トランスデューサ２６，２６…が接続されている。
【００２８】
而して、前記寝具パッド内電気回路５１に於いて、内部アンテナ５２を介してＲＦ受信モジュール５３により、プレイヤー２４からの２．４ＧＨｚＰＣＭ電波信号である音楽信号が受信されると、音楽信号はＤＡコンバータ５４によりアナログ信号に変換され、Ｌｃｈの音声信号、Ｒｃｈの音声信号に分けられ、電気的可変ボリューム５５によって、音声量を調整され、前置増幅器５６と、駆動増幅器５７，５７によって増幅された後、左右のスピーカー端子５８，５８に出力される。
【００２９】
一方、前記ＤＡコンバータ５４でアナログ変換されたＬ／Ｒ信号は、加算器６１でＬｃｈ信号とＲｃｈ信号が加算された音声信号となり、３ｃｈ分をもつ電気式可変ボリューム６２で振動量を調整され、次に、電気式可変ボリューム６２から出力された３ｃｈの信号は、前置増幅器６３に入り、それぞれ増幅され、３個の振動駆動増幅器６４，６４，６４で増幅された後、夫々分岐されて６個の振動トランスデューサ端子６５，６５…に出力される。
【００３０】
前記電気式可変ボリューム５５，６２、駆動増幅器５７，５７、振動駆動増幅器６４，６４，６４は、マイクロコンピュータ６６から発信される制御信号ｐ，ｎ、又は、駆動ＯＮ／ＯＦＦ信号ｔ，ｋによって制御される。
マイクロコンピュータ６６から発信されるボリューム制御信号ｐは電気式ボリューム５５の音声量のボリューム可変を行い、ボリューム制御信号ｎは電気式ボリューム６２の振動量のボリューム可変を行う。
駆動ＯＮ／ＯＦＦ信号ｔは駆動増幅器５７，５７に送信され、スピーカー２５，２５のＯＮ／ＯＦＦを制御し、駆動ＯＮ／ＯＦＦ信号ｋは振動駆動増幅器６４，６４，６４に送信され、振動トランスデューサ２６，２６…のＯＮ／ＯＦＦを制御する。
【００３１】
マイクロコンピュータ６６は、プレイヤー２４の操作部２３で操作された操作信号が内部アンテナ５２を介してＲＦ受信モジュール５３により受信された時、受信信号に基づき前記制御信号ｐ，ｎ，ｔ，ｋを出力する。
【００３２】
又、心拍・いびきセンサー３６で検出され、心拍・いびき検出入力端子６８から入力された信号は、心拍・いびき検出増幅器６７によって増幅され、マイクロコンピュータ６６に入力される。入力された信号に基づき、利用者３５に対し、音や、振動を用いて、報知したり、治療を行なうことができるが、本件ではその説明は省略する。
尚、電源レギュレータ６９によって、寝具パッド内電気回路５１全体の電源を供給する。
【００３３】
図４に於いて、８１は、前記プレイヤー２４に配設されるプレイヤー内電気回路を示し、プレイヤー内電気回路８１は、充電電池８２と、充電電池８２に接続された充電回路部８３と、充電電池８２及び充電回路部８３に接続された安定化電源８４とを備え、更に、ＳＤカード挿入部２８と、ＳＤカード挿入部２８に接続されるＭＰ−３デコーダー（復調器）８５と、ＭＰ−３デコーダー８５に接続されるＲＦ送信モジュール８６と、ＲＦ送信モジュール８６に接続される内部ＲＦアンテナ８７と、ＳＤカード挿入部２８、ＭＰ−３デコーダー８５及びＲＦ送信モジュール８６に夫々接続されるマイクロコンピュータ８８と、マイクロコンピュータ８８に接続される操作部２３と、データの一時保管等を行う書き換え可能記憶素子であるＥＥＰＲＯＭ８９と、液晶表示部２９とを備えている。ＲＦ送信モジュール８６は、例えば、２．４ＧＨｚＰＣＭ（パルスコードモジレーション信号）デジタル信号で送信する。前記操作部２３によって、再生、スリープ、タイマー、選曲等が設定されると共に、前記ドライバーユニットに送信する音声量、振動量が設定される。
【００３４】
而して、ＳＤカード挿入部２８にＳＤカードが挿入されると、操作部２３の操作に基づくマイクロコンピュータ８８による制御によって、ＳＤカードに記憶された楽曲データの再生信号が取り出され、楽曲データの再生信号は、ＭＰ−３デコーダー８５によって圧縮データから完全なＰＣＭデジタル信号に復元され、ＲＦ送信モジュール８６から、内部ＲＦアンテナ８７を介して２．４ＧＨｚ帯域の高周波信号としてドライバーユニット２２に無線送信される。
【００３５】
一方、マイクロコンピュータ８８は、操作部２３の操作に基づき、プレイヤー内電気回路８１内の各部品を制御する。液晶表示部２９は、プレイヤー２４に関する種々の情報を表示する。
又、前記プレイヤー２４は、操作部２３により操作されたドライバーユニット２２の音声量、振動量の操作信号をドライバーユニット２２に送信し、液晶表示部２９は、その操作信号の情報も表示する。
【図面の簡単な説明】
【００３６】
【図１】本発明による無線化体感音響寝具装置を示す斜視図である。
【図２】本発明による寝具パッド内電気回路の概略図である。
【図３】本発明による寝具パッド内電気回路の詳細図である。
【図４】本発明によるプレイヤー内電気回路図である。
【図５】従来例の体感音響寝具装置の正面図である。
【図６】従来例の体感音響寝具装置の寝具パッド内電気回路の概略図である。
【符号の説明】
【００３７】
２１  無線化体感音響寝具装置
２２  ドライバーユニット
２３  操作部
２４  プレイヤー
２５  スピーカー
２６  振動トランスデューサ
２７  寝具パッド
２７ａ  上層部
２７ｂ  中層部
２７ｃ  下層部
【図１】
2008160293.tif 000003
【図２】
2008160293.tif 000004
【図３】
2008160293.tif 000005
【図４】
2008160293.tif 000006
【図５】
2008160293.tif 000007
【図６】
2008160293.tif 000008